(57)【特許請求の範囲】
【請求項１】
ソーラーパネルや融雪装置などの屋根用設置物を取付するための取付ボルトを、屋根上に固定可能な雪止めや雪止めを屋根上に固定するための雪止め固定具などの屋根上固定物に対して取付可能なボルト取付具であって、前記屋根上固定物の基体の表面に重合する表面重合部を備えた表側挟着体と、前記基体の裏面に重合する裏面重合部を備えた裏側挟着体とから成り、この表側挟着体と裏側挟着体とに夫々前記取付ボルトのボルト杆部を貫挿するボルト通し孔を設け、前記基体の表裏面に重合した表側挟着体と裏側挟着体の夫々の前記ボルト通し孔を位置合わせして、裏側挟着体のボルト通し孔から表側挟着体のボルト通し孔へと前記取付ボルトのボルト杆部を貫挿することで、このボルト杆部の先端部が前記基体の外方へ突設すると共に、この取付ボルトのボルト頭部が、裏側挟着体の前記裏面重合部の反対側に設けたボルト頭配置部に配置するように構成し、このボルト頭配置部に配置した取付ボルトのボルト頭部に係止して取付ボルトを抜け止め保持するボルト頭係止部を前記表側挟着体に設けて、このボルト頭係止部がボルト頭配置部に配置したボルト頭部に係止することで、表側挟着体と裏側挟着体とが前記基体の表面と裏面を挟み込んだ挟着状態に保持される構成としたことを特徴とするボルト取付具。
【請求項２】
前記基体に貫通部を備えた前記屋根上固定物若しくは貫通部を基体に貫通形成した屋根上固定物に対して取付可能なボルト取付具であって、前記貫通部に取付ボルトのボルト杆部を貫通させて前記表側挟着体と前記裏側挟着体とを前記貫通部周囲の基体の表裏面に挟着し得るように構成したことを特徴とする請求項１記載のボルト取付具。
【請求項３】
前記表側挟着体に、前記表面重合部側の外方に向けて前記ボルト頭係止部を突設すると共に、このボルト頭係止部は、前記基体の表裏面に重合した表側挟着体と前記裏側挟着体の夫々の前記ボルト通し孔を位置合わせした際に裏側挟着体の前記ボルト頭配置部側に配設する突設長を有する構成としたことを特徴とする請求項１，２のいずれか１項に記載のボルト取付具。
【請求項４】
前記表側挟着体の側部に、前記表面重合部側の外方に向けて前記ボルト頭係止部を突設し、このボルト頭係止部を、前記裏側挟着体の側方を介して前記ボルト頭配置部側に配設し得るように構成したことを特徴とする請求項１〜３のいずれか１項に記載のボルト取付具。
【請求項５】
前記裏側挟着体のボルト通し孔から前記表側挟着体のボルト通し孔へと前記取付ボルトのボルト杆部を貫挿した際に、この取付ボルトのボルト頭部を圧入する圧入部を前記表側挟着体に設け、この圧入部に前記ボルト頭係止部を設けて、このボルト頭係止部が前記圧入部に圧入したボルト頭部に係止する構成としたことを特徴とする請求項１〜４のいずれか１項に記載のボルト取付具。
【請求項６】
前記表側挟着体の両側部に、前記表面重合部側の外方に向けて弾性を有する板状突出部を突設し、この各板状突出部の突出先端部を対向内側に向けて折曲形成すると共に、この各折曲部の先端間の対向間隔を前記取付ボルトのボルト頭部の径幅より小さい対向間隔に設定して、この各折曲部をその弾性に抗して各折曲部の先端間にボルト頭部を圧入可能な圧入部とし、この圧入部を構成する各折曲部の先端を、この圧入部に圧入したボルト頭部に係止する前記ボルト頭係止部としたことを特徴とする請求項１〜５のいずれか１項に記載のボルト取付具。
【請求項７】
前記裏側挟着体の前記ボルト頭配置部に、このボルト頭配置部に配置した前記取付ボルトのボルト頭部を回り止め状態に支持する支持部を設けたことを特徴とする請求項１〜６のいずれか１項に記載のボルト取付具。
【発明の詳細な説明】
【技術分野】
【０００１】
本発明は、屋根上にソーラーパネルや融雪装置などの屋根用設置物を取付するための取付ボルトを、屋根上に固定する雪止めや雪止めを屋根上に固定するための雪止め固定金具などの屋根上固定物を介して屋根上に取付するためのボルト取付具に関するものである。
【背景技術】
【０００２】
従来から、屋根上にソーラーパネルや融雪装置などの屋根用設置物を設置するための専用取付金具が実施されている。
【０００３】
一般的な屋根用設置物取付金具は、屋根上に固定可能な固定機構部を備えた金具本体の上部に取付ボルトを立設した構成となっていて、この取付ボルトに直接あるいは他の金具などを介して間接的に屋根用設置物を取付できるように構成されている（例えば、特許文献１参照。）。
【０００４】
また、従来、屋根上に固定可能な雪止めや、雪止めを屋根上に固定するための雪止め固定具に対してバーリング加工を施すなどして螺着孔を形成し、この螺子孔に屋根用設置物取付用の取付ボルトを螺着することで、雪止めや雪止め固定具を取付ボルト付の屋根用設置物取付金具として利用することも行われている。
【先行技術文献】
【特許文献】
【０００５】
【特許文献１】特開２００９−２８７３３４号公報
【発明の概要】
【発明が解決しようとする課題】
【０００６】
本発明は、上記特許文献１のような専用の屋根用設置物取付金具を用いることなく、また、螺子孔形成などの加工作業も要することなく、例えば屋根上に固定される雪止め金具や雪止め金具を取付するための雪止め取付金具などの既存の屋根上固定物を利用して簡単に取付ボルトを屋根上に取付できる画期的なボルト取付具を提供するものである。
【課題を解決するための手段】
【０００７】
添付図面を参照して本発明の要旨を説明する。
【０００８】
ソーラーパネル１Ａや融雪装置などの屋根用設置物１を取付するための取付ボルト２を、屋根３上に固定可能な雪止めや雪止めを屋根３上に固定するための雪止め固定具４Ａなどの屋根上固定物４に対して取付可能なボルト取付具であって、前記屋根上固定物４の基体５の表面に重合する表面重合部７を備えた表側挟着体６と、前記基体５の裏面に重合する裏面重合部９を備えた裏側挟着体８とから成り、この表側挟着体６と裏側挟着体８とに夫々前記取付ボルト２のボルト杆部10を貫挿するボルト通し孔12を設け、前記基体５の表裏面に重合した表側挟着体６と裏側挟着体８の夫々の前記ボルト通し孔12を位置合わせして、裏側挟着体８のボルト通し孔12から表側挟着体６のボルト通し孔12へと前記取付ボルト２のボルト杆部10を貫挿することで、このボルト杆部10の先端部が前記基体５の外方へ突設すると共に、この取付ボルト２のボルト頭部11が、裏側挟着体８の前記裏面重合部９の反対側に設けたボルト頭配置部13に配置するように構成し、このボルト頭配置部13に配置した取付ボルト２のボルト頭部11に係止して取付ボルト２を抜け止め保持するボルト頭係止部14を前記表側挟着体６に設けて、このボルト頭係止部14がボルト頭配置部13に配置したボルト頭部11に係止することで、表側挟着体６と裏側挟着体８とが前記基体５の表面と裏面を挟み込んだ挟着状態に保持される構成としたことを特徴とするボルト取付具に係るものである。
【０００９】
また、前記基体５に貫通部15を備えた前記屋根上固定物４若しくは貫通部15を基体５に貫通形成した屋根上固定物４に対して取付可能なボルト取付具であって、前記貫通部15に取付ボルト２のボルト杆部10を貫通させて前記表側挟着体６と前記裏側挟着体８とを前記貫通部15周囲の基体５の表裏面に挟着し得るように構成したことを特徴とする請求項１記載のボルト取付具に係るものである。
【００１０】
また、前記表側挟着体６に、前記表面重合部７側の外方に向けて前記ボルト頭係止部14を突設すると共に、このボルト頭係止部14は、前記基体５の表裏面に重合した表側挟着体６と前記裏側挟着体８の夫々の前記ボルト通し孔12を位置合わせした際に裏側挟着体８の前記ボルト頭配置部13側に配設する突設長を有する構成としたことを特徴とする請求項１，２のいずれか１項に記載のボルト取付具に係るものである。
【００１１】
また、前記表側挟着体６の側部に、前記表面重合部７側の外方に向けて前記ボルト頭係止部14を突設し、このボルト頭係止部14を、前記裏側挟着体８の側方を介して前記ボルト頭配置部13側に配設し得るように構成したことを特徴とする請求項１〜３のいずれか１項に記載のボルト取付具に係るものである。
【００１２】
また、前記裏側挟着体８のボルト通し孔12から前記表側挟着体６のボルト通し孔12へと前記取付ボルト２のボルト杆部10を貫挿した際に、この取付ボルト２のボルト頭部11を圧入する圧入部16を前記表側挟着体６に設け、この圧入部16に前記ボルト頭係止部14を設けて、このボルト頭係止部14が前記圧入部16に圧入したボルト頭部11に係止する構成としたことを特徴とする請求項１〜４のいずれか１項に記載のボルト取付具に係るものである。
【００１３】
また、前記表側挟着体６の両側部に、前記表面重合部７側の外方に向けて弾性を有する板状突出部17を突設し、この各板状突出部17の突出先端部を対向内側に向けて折曲形成すると共に、この各折曲部18の先端間の対向間隔を前記取付ボルト２のボルト頭部11の径幅より小さい対向間隔に設定して、この各折曲部18をその弾性に抗して各折曲部18の先端間にボルト頭部11を圧入可能な圧入部16とし、この圧入部16を構成する各折曲部18の先端を、この圧入部16に圧入したボルト頭部11に係止する前記ボルト頭係止部14としたことを特徴とする請求項１〜５のいずれか１項に記載のボルト取付具に係るものである。
【００１４】
また、前記裏側挟着体８の前記ボルト頭配置部13に、このボルト頭配置部13に配置した前記取付ボルト２のボルト頭部11を回り止め状態に支持する支持部19を設けたことを特徴とする請求項１〜６のいずれか１項に記載のボルト取付具に係るものである。
【発明の効果】
【００１５】
本発明は上述のように構成したから、上記特許文献１のような専用の屋根用設置物取付金具を用いずとも、既存の雪止めや雪止め固定具などの屋根上固定物を利用して屋根上に取付ボルトを取付でき、しかも、取付ボルトを貫挿した表側挟着体と裏側挟着体とを屋根上固定物の基体に挟着することで取付ボルトを屋根上固定物に取付するので、屋根上固定物に対して螺子孔を形成するような面倒な加工作業は不要で、非常に簡単に取付可能であるなど、極めて実用性に優れた画期的なボルト取付具となる。
【００１６】
また、請求項２記載の発明においては、貫通部から取付ボルトのボルト杆部の先端部を屋根上固定物（基体）の外方へ突出させてこの取付ボルトを屋根用設置物の取付に確実に利用でき、しかも、基体の貫通部周囲の例えば対向箇所を表側挟着体と裏側挟着体とで挟着して取付ボルトを屋根上固定物に対し安定的に取付することも可能となるなど、一層実用性に優れた構成のボルト取付具となる。
【００１７】
また、請求項３，４記載の発明においては、ボルト頭係止部が表側挟着部に設けられる構成でありながら、裏側挟着体のボルト頭配置部に配置した取付ボルトのボルト頭部に係止可能となる構成を簡易に設計実現可能となる一層実用性に優れた構成のボルト取付具となる。
【００１８】
また、請求項５，６記載の発明においては、ボルト頭係止部のボルト頭部への係止操作などは不要で、取付ボルトのボルト杆部をボルト通し孔へと貫挿しつつボルト頭部を圧入部に圧入するだけの操作でボルト頭係止部がボルト頭部に係止するので、取付ボルトの取付作業が一層容易に行われる極めて実用性に優れた構成のボルト取付具となる。
【００１９】
また、特に請求項６記載の発明においては、ボルト頭部を圧入する圧入部も、この圧入部にボルト頭部を圧入することでボルト頭部に係止するボルト頭係止部も簡易構成にして容易に設計実現可能となる一層実用性に優れた構成のボルト取付具となる。
【００２０】
また、請求項７記載の発明においては、ボルト頭配置部に取付ボルトのボルト頭部が配置することで取付ボルトが回り止め状態に支持されるので、この取付ボルト（のボルト杆部）にナットや各種取付金具などの螺着する際に取付ボルトの空回りを生じず、従ってこの取付ボルトへの螺着作業が容易に行われて屋根用設置物の設置作業が容易に行われることになる一層実用性に優れた構成のボルト取付具となる。
【図面の簡単な説明】
【００２１】
【図１】本実施例を用いて取付ボルトを屋根上固定物に固定した状態を示す斜視図である。
【図２】本実施例と取付ボルトと屋根上設置物とを示す分解斜視図である。
【図３】本実施例と取付ボルトとの関係を示す拡大説明斜視図である。
【図４】本実施例の取付手順を示した説明側断面図である。
【図５】本実施例を用いて取付ボルトを屋根上固定物に固定した状態を示す拡大説明断面図である。
【図６】本実施例の使用状態を示す概略説明斜視図である。
【発明を実施するための形態】
【００２２】
好適と考える本発明の実施形態を、図面に基づいて本発明の作用を示して簡単に説明する。
【００２３】
本発明のボルト取付具は、ソーラーパネル１Ａや融雪装置などの屋根用設置物１を取付するための取付ボルト２を、屋根３上に固定可能な雪止めや雪止めを屋根３上に固定するための雪止め固定具４Ａなどの屋根上固定物４に対して取付可能である。
【００２４】
具体的には、屋根上固定物４の基体５の表面に、表側挟着体６の表面重合部７を重合すると共に、この表側挟着体６に位置を合わせるようにして基体５の裏面に裏側挟着体８の裏面重合部９を重合し、この表側挟着体６のボルト通し孔12と裏側挟着体８のボルト通し孔12とを位置合わせする。
【００２５】
そして、裏側挟着体８のボルト通し孔12から表側挟着体６のボルト通し孔12へと取付ボルト２のボルト杆部10を貫挿すると、このボルト杆部10の先端部が前記基体５（屋根上固定物４）の外方へ突設すると共に、この取付ボルト２のボルト頭部11が、裏側挟着体８の裏面重合部９の反対側に設けたボルト頭配置部13に配置することになり、このボルト頭配置部13に配置したボルト頭部11に表側挟着体６に設けたボルト頭係止部14を係止すると、取付ボルト２が前記各ボルト通し孔12より抜け止め保持されることになる。
【００２６】
即ち、表側挟着体６のボルト頭係止部14が裏側挟着体８の裏面重合部９の反対側のボルト頭配置部13に配置したボルト頭部11に係止するので、表側挟着体６は、その表面重合部７が基体５の表面から離反する方向へ移動できず、しかも抜け止め保持されている取付ボルト２のボルト頭部11が裏側挟着体８を押さえ込むため、裏面重合部９も基体５の裏面から離反する方向に移動できず、従って、表側挟着体６と裏側挟着体８とが前記基体５の表面と裏面を挟み込んだ挟着状態に保持されて、取付ボルト２も基体５に対して脱落不能状態に取付られることになる。
【００２７】
このようにして取付ボルト２を取付した屋根上固定物４を屋根３上に固定すると、屋根上固定物４の基体５から外方へ突出している前記取付ボルト２のボルト杆部10を利用してソーラーパネル１Ａや融雪装置などの屋根用設置物１を屋根３上に取付できる。尚、屋根上固定物４を屋根３上に固定した後で、上記と同様にしてこの屋根上固定物４に取付ボルト２を取付するようにしても良い。
【００２８】
従って、本発明によれば、上記特許文献１のような専用の屋根用設置物取付金具は不要であり、また、屋根上固定物４に対して螺子孔形成などの面倒な加工作業も要することなく、既存の雪止めや雪止め固定具４Ａなどの屋根上固定物４を利用して簡単に屋根３上に取付ボルト２を取付できる。
【００２９】
また、例えば、前記基体５に貫通部15を備えた前記屋根上固定物４若しくは貫通部15を基体５に貫通形成した屋根上固定物４に対して取付可能なボルト取付具であって、前記貫通部15に取付ボルト２のボルト杆部10を貫通させて前記表側挟着体６と前記裏側挟着体８とを前記貫通部15周囲の基体５の表裏面に挟着し得るように構成すれば、貫通部15を備えた既存の屋根上固定物４に対して本ボルト取付具は無加工で使用可能であると共に、貫通部15のない屋根上固定物４に対しても、この屋根上固定物４に貫通孔（貫通部15）などを形成することだけで本ボルト取付具を容易に使用可能となり、この貫通部15から取付ボルト２のボルト杆部10の先端部を屋根上固定物４（基体５）の外方へ突出させてこの取付ボルト２を屋根用設置物１の取付に確実に利用できる。
【００３０】
しかも、例えば後述の実施例のように、基体５の貫通部15周囲の対向箇所を表側挟着体６と裏側挟着体８とで挟着して取付ボルト２を屋根上固定物４に対し安定的に取付することも可能となる。
【実施例】
【００３１】
本発明の具体的な実施例について図面に基づいて説明する。
【００３２】
本実施例は、ソーラーパネル１Ａや融雪装置などの屋根用設置物１を取付するための取付ボルト２を、屋根３上に固定可能な雪止めや雪止めを屋根３上に固定するための雪止め固定具４Ａなどの屋根上固定物４に対して取付可能なボルト取付具に係るものである。
【００３３】
また、本実施例の屋根上固定物４は、図１，図２，図６に示すように、雪止めを屋根３上に取付するための雪止め固定具４Ａであって、縦葺屋根３のハゼ部20に挟持固定することで取付するタイプのものを採用した場合を示している。
【００３４】
この雪止め固定具４Ａについて更に詳しく説明すると、板状の基体５をコ字状に屈曲して天板部22の下部左右に前記ハゼ部20を挟持する挟持部21を左右対向状態に設け、この各挟持部21間に締付ボルト23を架設してこの締付ボルト23の先端に螺着した図示省略のナットを締付回動して各挟持部21間を幅狭くすることで、各挟持部21が前記ハゼ部20を締付挟持して縦葺屋根３上に固定できる構成としている。
【００３５】
また、この雪止め固定具４Ａの中間位置に、天板部22から左右の挟持部21の中ほどにかけて溝状の貫通部15を形成し、この貫通部15に雪止め（アングル）を差し込み挿入固定し得るように構成している。即ち、本実施例の屋根上固定物４（雪止め固定具４Ａ）は、アングル止め金具を採用した場合を示している。
【００３６】
本実施例のボルト取付具は、前記雪止め固定具４Ａの基体５の表面に重合する表面重合部７を備えた表側挟着体６と、前記基体５の裏面に重合する裏面重合部９を備えた裏側挟着体８とから成ると共に、この表側挟着体６と裏側挟着体８とを、特に基体５の前記天板部22の表裏面に重合するのに適した形状に形成している。
【００３７】
具体的には、表側挟着体６は、図１〜図３に示すように、長方形状の金属板６で構成すると共に、この金属板６の短方向縁の長さ幅寸法を雪止め固定具４Ａの前記天板部22の左右幅寸法と略同寸法に設定し、この金属板６の一側板面を前記表面重合部７として、この金属板６の両側の長手方向縁を天板部22の左右両側縁に合致させて表面重合部７を天板部22の表面（上面）に重合させると、金属板６が雪止め固定具４Ａの外方へ大きく突出せずに納まり良く配置可能となる構成としている。
【００３８】
また、裏側挟着体８は、図２〜図５に示すように、長方形状の金属板８で構成すると共に、この金属板８の短方向縁の長さ幅寸法を、前記表側挟着体６の短方向縁の長さ幅寸法よりやや小さく且つ雪止め固定具４Ａの前記天板部22の左右幅寸法よりやや小さい幅寸法に設定し、この金属板８の一側板面を前記裏面重合部９として、この金属板８の両側の長手方向縁を天板部22の左右両側縁に合致させて裏面重合部９を天板部22の裏面（下面）に重合させると、金属板８が前記挟持部21間に納まり良く配置可能となる構成としている。
【００３９】
また、この金属板８の他側板面を取付ボルト２のボルト頭部11が当接配置するボルト頭配置部13としている。
【００４０】
また、この表側挟着体６と裏側挟着体８とは、夫々の中心部に取付ボルト２のボルト杆部10の径寸法よりやや径大で且つボルト頭部11の径寸法より径小なボルト通し孔12を貫通形成している。
【００４１】
そして、前記貫通部15の周囲の天板部22、即ち貫通部15を挟んだ天板部22の前後対向位置の表裏面に表側挟着体６の表面重合部７の長手方向の両側面と裏側挟着体８の裏面重合部９の長手方向の両側面とを重合して表側挟着体６と裏側挟着体８の夫々の前記ボルト通し孔12を貫通部15に配置すると共に位置合わせし、裏側挟着体８のボルト通し孔12から（雪止め固定具４Ａの下方から）貫通部15を介して表側挟着体６のボルト通し孔12へと前記取付ボルト２のボルト杆部10を貫挿することで、このボルト杆部10の先端部が前記基体５の外方（上方）へ突設すると共に、この取付ボルト２のボルト頭部11が、裏側挟着体８の前記裏面重合部９の反対側の前記ボルト頭配置部13に配置するように構成している（図４，図５参照）。
【００４２】
また、本実施例では、このボルト頭配置部13に配置した取付ボルト２のボルト頭部11に係止して取付ボルト２を抜け止め保持するボルト頭係止部14を前記表側挟着体６に設けて、このボルト頭係止部14がボルト頭配置部13に配置したボルト頭部11に係止することで、表側挟着体６と裏側挟着体８とが前記基体５の表面と裏面を挟み込んだ挟着状態に保持される構成としている。
【００４３】
具体的には、表側挟着体６の長手方向の両側縁部の中ほどに、帯状の板状突出部17を一体的に突設し、この各板状突出部17を表面重合部７側の外方に向けて（対向する裏側挟着体８の裏面重合部９に向けて）、この表面重合部７の板面と直交状態となるように折曲形成している。即ち、表面重合部７の両端から、この表面重合部７側の外方に向けて帯状の板状突出部17が平行に突設する構成とし、この各板状突出部17が表側挟着体６の短方向縁の長さ幅寸法よりやや小さい裏側挟着体８の長手方向縁の両外側部を介して（通して）裏側挟着体８の前記ボルト頭配置部13に突設配設可能となる構成としている。
【００４４】
また、この各板状突出部17は、その突出方向と直交する方向の幅寸法を前記左右の挟着部21の溝状貫通部15の溝幅寸法と略同幅寸法若しくはやや小さい幅寸法に設定して、前記基体５の天板部22の表面に表側挟着体６の表面重合部７を重合してそのボルト通し孔12を天板部22の貫通部15に配置した際に、この各板状突出部17を各挟着部21の貫通部15に沿わせて配設し得るように構成している（図１，図５参照）。
【００４５】
また、更にこの各板状突出部17の突出先端部を、夫々の対向内側に向けて且つ表面重合部７側に向けて傾斜折曲すると共に、この各傾斜折曲部18の先端間の対向間隔を前記取付ボルト２のボルト頭部11の径幅より小さい対向間隔に設定して、この各折曲部18を、この各折曲部18の弾性に抗して各折曲部18の先端間にボルト頭部11を圧入可能な圧入部16とし、この圧入部16を構成する各折曲部18の先端を、この圧入部16に圧入したボルト頭部11に係止する前記ボルト頭係止部14としている。
【００４６】
従って、前記裏側挟着体８のボルト通し孔12から天板部22の貫通部15を介して前記表側挟着体６のボルト通し孔12へと前記取付ボルト２のボルト杆部10を貫挿した際に、ボルト頭部11を圧入部16に圧入すると、このボルト頭部11がボルト頭係止部14を越えて前記ボルト頭配置部13に到達したところでボルト頭係止部14がボルト頭部11の基端面に係止して、取付ボルト２が貫挿方向と逆方向へ抜け止め状態となる構成としている（図４，図５参照）。
【００４７】
この際、表側挟着体６のボルト頭係止部14が裏側挟着体８の裏面重合部９の反対側のボルト頭配置部13に配置したボルト頭部11に係止することで、表側挟着体６は、その表面重合部７が基体５の表面から離反する方向へ移動できず（表側挟着体６が天板部22の表面に重合状態に保持され）、また、抜け止め保持されている取付ボルト２のボルト頭部11の座面がボルト頭配置部13に当たって裏側挟着体８を押さえ込むこととなるため、裏面重合部９も基体５の裏面から離反する方向に移動できず（裏側挟着体８が天板部22の裏面に重合状態に保持され）、よって、表側挟着体６と裏側挟着体８とが前記基体５の表面と裏面を挟み込んだ挟着状態に保持されて、取付ボルト２も基体５に対し脱落不能状態に取付られてボルト杆部10の先端側が天板部22の上方へ立設突出することになる構成としている。また、この際、貫通部15周囲の天板部22の対向位置を表側挟着体６と裏側挟着体８とで挟着するので、基体５（天板部22）に対して表側挟着体６と裏側挟着体８とが安定的に挟着して取付ボルト２が雪止め固定具４Ａに安定的に取付られることになる。
【００４８】
そして、この立設突出するボルト杆部10（取付ボルト２）を利用して、ソーラーパネル１Ａや融雪装置などの屋根用設置物１を屋根３上に取付可能となる。尚、図６は、ソーラーパネル１Ａを屋根３上に取付した場合を示している。
【００４９】
また、本実施例では、前記裏側挟着体８の前記ボルト頭配置部13に、このボルト頭配置部13に配置した前記取付ボルト２のボルト頭部11を回り止め状態に支持する支持部19を設けている。
【００５０】
具体的には、図３に示すように、裏側挟着体８の前記ボルト通し孔12の両側位置を細帯状に切り出すと共に、この切り出し部をボルト頭配置部13側に押し出し折曲し、更に、この各切り出し折曲部19間の間隔をボルト頭部11外周の対向側面の対向幅よりやや幅広に設定して、この各切り出し折曲部19を前記支持部19としている。
【００５１】
即ち、ボルト頭配置部13にボルト頭部11を配置すると、各切り出し折曲部19（支持部19）がボルト頭配置部13に配置したボルト頭部11外周の対向側面の外側に配置してボルト頭部11（取付ボルト２）を回り止め状態に支持するように構成している。
【００５２】
尚、本発明は、本実施例に限られるものではなく、各構成要件の具体的構成は適宜設計し得るものである。
【００５３】
また、本実施例では、屋根上固定物４として貫通部15を有する雪止め固定具４Ａを採用した場合を示したが、これに限らず、他の金具や雪止めに対して本ボルト取付具を取付するようにしても良く、この際、貫通部15が必要となるものに対しては、その基体５に貫通孔などを形成することで対応すると良い。
【符号の説明】
【００５４】
１  屋根用設置物
１Ａ  ソーラーパネル
２  取付ボルト
３  屋根
４  屋根上固定物
４Ａ  雪止め固定具
５  基体
６  表側挟着体
７  表面重合部
８  裏側挟着体
９  裏面重合部
10  ボルト杆部
11  ボルト頭部
12  ボルト通し孔
13  ボルト頭配置部
14  ボルト頭係止部
15  貫通部
16  圧入部
17  板状突出部
18  折曲部
19  支持部
【図１】
0005606822.tif 000002
【図２】
0005606822.tif 000003
【図３】
0005606822.tif 000004
【図４】
0005606822.tif 000005
【図５】
0005606822.tif 000006
【図６】
0005606822.tif 000007